(57)【要約】【課題】薄型で加温時においても反りが生じ難い好適な構造が実現できるうえ、ランプイメージを低減させる効果に優れる。【解決手段】光拡散板２０は、透明樹脂からなる光伝搬層２１と、光伝搬層２１の光射出面２１ｂ及び光入射面２１ａの両面に位置する光拡散透過層２２、２３とが積層された多層構造から構成され、光入射面２０ａには、透明レンズ層４が配されてなり、光拡散板２０及び透明レンズ層４の総厚が１．５ｍｍ〜５ｍｍの範囲に設定されるとともに、透明レンズ層４を構成する素材の線膨張係数が６×１０−５ｃｍ／ｃｍ・℃〜８×１０−５ｃｍ／ｃｍ・℃の範囲に設定された構造となっている。【選択図】図１
2010152242.tif 000002
【特許請求の範囲】
【請求項１】
厚さ方向の一方の面が光源から放射される光が入射する光入射面とされ、他方の面が前記光入射面に入射した光が射出する光射出面とされる光拡散板であって、
透明樹脂からなる光伝搬層と、該光伝搬層の光射出面に位置する、又は光射出面及び光入射面の両面に位置する光拡散透過層とが積層された多層構造から構成され、
前記光入射面には、透明レンズ層又は透明プリズム層が配されてなり、
前記多層構造、及び透明レンズ層又は透明プリズム層の総厚が１．５ｍｍ〜５ｍｍの範囲にあり、前記透明レンズ層又は透明プリズム層を構成する素材の線膨張係数が６×１０−５ｃｍ／ｃｍ・℃〜８×１０−５ｃｍ／ｃｍ・℃の範囲にあることを特徴とする光拡散板。
【請求項２】
前記透明レンズ層又は透明プリズム層が押出成形によって形成され、２５℃における流れ方向の線膨張係数ＭＤと、流れ方向に対して垂直となる方向の線膨張係数ＴＤが（１）式を満たす範囲にあることを特徴とする請求項１に記載の光拡散板。
【数１】
2010152242.tif 000006
【請求項３】
前記多層構造が、押出成形にて一体成形されてなることを特徴とする請求項１又は２に記載の光拡散板。
【請求項４】
前記光拡散透過層は、微粒子を分散させた透明樹脂からなり、該光拡散透過層を構成する透明樹脂１００重量部に対して、前記微粒子が合計で２０重量部〜３５重量部分散されてなり、且つ、前記多層構造の層厚に対する前記光伝搬層の厚み比率が１／１．１〜１／１．５の範囲にあることを特徴とする請求項１乃至３のいずれかに記載の光拡散板。
【請求項５】
前記光拡散透過層が前記光伝搬層の光射出面及び光入射面の両面に位置する場合において、
前記光射出面に配された微粒子含有透明樹脂層の微粒子濃度に対する、光入射面に配された微粒子含有透明樹脂層の微粒子濃度の比率が１／５〜１／１０の範囲にあることを特徴とする請求項１乃至４のいずれかに記載の光拡散板。
【請求項６】
透明レンズ層又は透明プリズム層と、光伝搬層、又は光伝搬層の光入射面に設けられた光拡散透過層とが、粘着材にて一体化されてなることを特徴とする請求項１乃至５のいずれかに記載の光拡散板。
【請求項７】
請求項１乃至６のいずれかに記載の光拡散板を用いるとともに、直下型光源の前に配される光学部材であって、
前記光拡散板の光射出面には、略平面をなす一方の面から入射した光を他方の面から射出する際に、射出方向、射出範囲、輝度分布のうち少なくとも１つを制御する光学シートが配されていることを特徴とする光学部材。
【請求項８】
請求項１乃至６のいずれかに記載の光拡散板、若しくは請求項７に記載の光学部材と、直下型光源とを備えたことを特徴とするバックライトユニット。
【請求項９】
請求項８に記載のバックライトユニットと、前記光拡散板を間に挟んで前記直下型光源と向き合った表示パネルとを備えたことを特徴とする表示装置。
【発明の詳細な説明】
【技術分野】
【０００１】
本発明は、蛍光管、ＬＥＤ、ＥＬ等の光源を有する液晶バックライト装置や照明装置に搭載される光拡散板、光学部材、バックライトユニット及び表示装置に関する。
【背景技術】
【０００２】
近年、ＴＦＴ（Ｔｈｉｎ  Ｆｉｌｍ  Ｔｒａｎｓｉｓｔｏｒ）型液晶パネルやＳＴＮ（Ｓｕｐｅｒ  Ｔｗｉｓｔｅｄ  Ｎｅｍａｔｉｃ）型液晶パネルを使用した液晶ディスプレイ装置は、主としてＯＡ分野においてカラーノートパソコンを中心に商品化されている。
この種のバックライト方式に採用されているバックライトユニットとしては、大別して冷陰極管（ＣＣＦＬ：Ｃｏｌｄ  Ｃａｔｈｏｄｅ  Ｆｌｕｏｒｅｓｃｅｎｔ  Ｌａｍｐ）等の光源ランプを、光透過性に優れたアクリル樹脂等からなる平板状の導光板内で多重反射させる「導光板ライトガイド方式」（いわゆる、エッジライト方式）と、導光板を用いずにＣＣＦＬ等の光源ランプからの光で直接照明する「直下型方式」の２種類の方式がある。
【０００３】
エッジライト方式のバックライトユニットが搭載された液晶ディスプレイ装置としては、例えば図５に示すものが一般に知られている。この種の液晶ディスプレイ装置は、表裏両面を偏光板１００、１０２で挟んでなる液晶パネル１０１が上部に位置して配設され、液晶パネル１０１の下側面に、略長方形の板状を呈するポリメチルメタクリレート（ＰＭＭＡ）やアクリル等の透明な基材からなる導光板１０６が配置されており、この導光板１０６の上面、すなわち光射出面に拡散フィルム（拡散層）１０３が設けられている。さらに、導光板１０６の下面に、導光板１０６に導入された光を効率よく液晶パネル１０１に向けて均一になるように散乱して反射されるための散乱反射パターン部（図示せず）が印刷などによって設けられると共に、散乱反射パターン部の下方に反射フィルム（反射層）１０７が設けられている。
【０００４】
上記導光板１０６には、その短測部に光源ランプ１０５が設けられており、さらに、光源ランプ１０５の光を効率よく導光板１０６に入射させるべく、光源ランプ１０５の背面側を覆うようにして高反射率のランプリフレクター１０４が設けられている。上記散乱反射パターン部は、白色である二酸化チタン（チタニア）粉末を透明な接着剤等の溶液に混合した混合物を、所定パターン、例えばドットパターンにて印刷し、乾燥、形成したものであり、導光板１０６内に入射した光に指向性を付与し、光射出面へと導くようになっており、高輝度化が図られている。
【０００５】
また、最近では、図６に示すように、光利用効率を向上して更なる高輝度化を図るために、拡散フィルム１０３と液晶パネル１０１との間に、光集光機能を備えたプリズムフィルム（プリズム層）１０８、１０９を設けることが提案されている。このプリズムフィルム１０８、１０９は導光板１０６の光射出面から射出され、拡散フィルム１０３で拡散された光を高効率で液晶パネル１０１の有効表示エリアに集光させるものである。
【０００６】
一方、直下型方式のバックライトは、導光板の利用が困難な大型の液晶テレ部などのディスプレイ装置に用いられている。直下型バックライト方式のディスプレイとしては、図７に示す液晶ディスプレイ装置が一般的に知られている。
この液晶ディスプレイ装置は、表裏両面を偏光板１００、１０２で挟んでなる液晶パネル１０１が上部に位置して配設され、液晶パネル１０１の下側面にＣＣＦＬ等からなる光源１１１が配置される。さらに、光源１１１の上面側には拡散板１１０のような光学シートが設けられている。また、光源１１１の背面には、光源１１１から液晶パネル１０１と反対方向に向かう光を液晶パネル１０１側に反射させるリフレクタ１１２が配置されている。これにより、光源１１１から射出される光は拡散板１１０で拡散させられ、この拡散光が高効率で液晶パネル１０１の有効表示エリアに集光させられるようになっている。
【０００７】
「直下型方式」のディスプレイ装置に用いられている拡散板１１０は、液晶ディスプレイ装置の構成上、線状光源の光を散乱させ、且つ光源が透けて見えないことが求められるため、光散乱粒子が配合されており、その多くは、高透過、高拡散を目的とし、光散乱粒子の種類や粒径、配合量を線御するものであり、光散乱粒子としては、真球状粒子を使用したものとなっている。
ところが、拡散板の光散乱粒子として真球状粒子のみを使用した場合、視野角を広げるような拡散特性となり、ランプイメージは明るい部分が広がった状態で確認され、比較的明るい部分と比較的暗い部分がストライプ状の輝度ムラとして視認できてしまう。この明るい部分と暗い部分の差を確認しにくいように光透過率を落とすため、正面輝度が低下するという問題があった。図７に示した液晶ディスプレイ装置でも、視野角制御は拡散板１１０の拡散性にのみ委ねられていることから、その制御は難しく、液晶表示画面の中心は明るく、周辺に近いほど暗くなる特性は避けられない。従って、液晶表示画面を横から見たときの輝度低下が大きく、光の利用効率が低下してしまう現状があった。
【０００８】
そこで、上記の問題を解決する方法の一つとして、図８に示すように、米国３Ｍ社の登録商標である輝度強調フィルム（ＢＥＦ：Ｂｒｉｇｈｔｎｅｓｓ  Ｅｎｈａｎｃｅｍｅｎｔ  Ｆｉｌｍ）１１３をバックライト用照明光源１１４の上方に配置させ、さらにＢＥＦ１１３の上方である光射出面側に光拡散フィルム（図示せず）を配置する方法が採用されている。ＢＥＦ１１３は、図８及び図９に示すように、透明基材１１３ａの上面に、断面が三角形状の単位プリズム１１３ｂが一方向に一定ピッチで配列されたフィルムである。この単位プリズム１１３ｂは、光の波長に比較して大きいピッチである。ＢＥＦ１１３は、“軸外（ｏｆｆ−ａｘｉｓ）”からの光を集光し、この光を視聴者に向けて“軸上（ｏｎ−ａｘｉｓ）”に方向転換又はリサイクルする。
【０００９】
ディスプレイ使用時（観察時）に、ＢＥＦは、軸外輝度を低下させることで軸上輝度を増大させる。ここでいう「軸上」とは、視聴者の視野角方向に一致する方向であり、一般的には、ディスプレイ画面に対する法線方向である。単位プリズムの反復的アレイ構造が１方向のみに並列されたものでは、その並列方向でのみ方向転換若しくはリサイクルが可能であり、水平方向及び垂直方向での表示光制御のためには、単位プリズム群の並列方向が互いに略直交するように、２枚のシートを重ね合わせて用いられている。
【００１０】
このようなＢＥＦを採用することにより、ディスプレイ設計者が電力消費量を低減しながら所望の軸上輝度を達成できるようになった。ＢＥＦに代表されるプリズムの反復アレイ構造を有する輝度制御部材をディスプレイ装置に採用した技術は、特許文献１〜５において従来知られている。
【特許文献１】特許第３３７４３１６号公報
【特許文献２】特許第３６８４５８７号公報
【特許文献３】特公平１−３７８０１号公報
【特許文献４】特開平６−１０２５０６号公報
【特許文献５】特表平１０−５０６５００号公報
【発明の開示】
【発明が解決しようとする課題】
【００１１】
ところで、上記のようなＢＥＦを輝度制御部材として用いた光学シートでは、その屈折作用によって、光源からの光が、最終的に、制御された角度でフィルムより射出されることにより、視聴者の視覚方向の光の強度を高めるように制御することができる。しかしながら、同時に、視聴者の視覚方向に進むことなく横方向に無駄に射出されるといった想定外の光線が存在する。このため、上述した図９に示すように、ＢＥＦを用いた光学シートから射出される光強度分布には、視聴者の視覚方向、すなわち視覚方向Ｆに対する角度が０°（軸上方向に相当）における光強度が最も高められるものの、正面より±９０°近辺に小さな光強度ピークが生じる。つまり、横方向から無駄に射出される光（サイドローブ）が増えてしまうという問題がある。
【００１２】
また、軸上輝度のみが過度に向上すると、輝度分布曲線のピーク幅が著しく狭くなり、視覚域が極端に限定されるため、ピーク幅を適度な幅に広げるための新たな光拡散フィルムを併用する必要が生じ、部材数の増加を伴うという問題もある。
【００１３】
上述のような光学シートは、光の利用効率の向上だけでなく、光源起因のムラの除去、ランプイメージを低減すること、ディスプレイの視覚域の確保など種々の機能が求められており、一般には複数枚の光学シートを重ね合わせることによって所望の性能を得ている。しかしながら、光学シートの構成枚数が増加は、ディスプレイ組み立て作業の煩雑化や、シート間への異物の混入といった問題を招くおそれがあった。
【００１４】
また、このような光学シートを用いた液晶ディスプレイ装置では、市場ニーズとして、軽量、低消費電力、高輝度、薄型であることが強く求められており、それに伴い、ディスプレイ装置に搭載されるバックライトユニットに関しても、同様に、軽量、低消費電力、高輝度、薄型であることが要求されている。
【００１５】
最近では特に、ディスプレイの薄型化により、光源と光学シートとの距離も縮まることで、光学部材が高温に晒され易くなるために、ディスプレイ稼動時に光学部材に反りが生じて画像品位が低下してしまったり、ＣＣＦＬのような線光源の本数削減が著しくなることで、従来の光学部材構成ではランプイメージが視認できてしまったりするといった問題が生じている。
【００１６】
本発明は、上述する問題点に鑑みてなされたもので、薄型で加温時においても反りが生じ難い好適な構造が実現できるうえ、ランプイメージを低減させる効果に優れた光拡散板、光学部材、バックライトユニット及び表示装置を提供することを目的とする。
【課題を解決するための手段】
【００１７】
上記目的を達成するため、本発明に係る光拡散板では、厚さ方向の一方の面が光源から放射される光が入射する光入射面とされ、他方の面が光入射面に入射した光が射出する光射出面とされる光拡散板であって、透明樹脂からなる光伝搬層と、光伝搬層の光射出面に位置する、又は光射出面及び光入射面の両面に位置する光拡散透過層とが積層された多層構造から構成され、光入射面には、透明レンズ層又は透明プリズム層が配されてなり、多層構造、及び透明レンズ層又は透明プリズム層の総厚が１．５ｍｍ〜５ｍｍの範囲にあり、透明レンズ層又は透明プリズム層を構成する素材の線膨張係数が６×１０−５ｃｍ／ｃｍ・℃〜８×１０−５ｃｍ／ｃｍ・℃の範囲にあることを特徴としている。
【００１８】
本発明では、光源から射出された光は、透明レンズ層又は透明プリズム層によって屈折させられた後、光入射面側に配置された光拡散透過層にてある程度拡散させられる。そして、この拡散光は、光伝搬層内を伝播して広がりながら光源から離れた位置まで進行し、その後、光射出面側に配置された光拡散透過層にてさらに拡散させられて光射出面から射出される。これによって、十分な光拡散透過層により拡散効果が付与されることで、高い光拡散性を備えながらも正面輝度の高い射出光として射出されることになる。
そして、多層構造、及び透明レンズ層又は透明プリズム層の総厚が１．５ｍｍ〜５ｍｍの範囲に設定され、且つ光入射面に配された透明レンズ層又は透明プリズム層の線膨張係数が上述した６×１０−５ｃｍ／ｃｍ・℃〜８×１０−５ｃｍ／ｃｍ・℃の範囲である場合には、例えば光拡散板を備えた表示装置の稼動時の光源部からの発熱によって加熱されても、光拡散板が液晶パネル、又は光源部側に大きな反りが生じたり、歪んだりすることで、液晶パネルや光源が破損したり、画像品位が低下したりする不具合がなく、光拡散板の薄型対応性を向上させることができる。また、総厚が１．５ｍｍより小さく十分な厚みが確保できない場合には、表示装置の組立時のハンドリング性が悪化したりする点で不利となる。また、総厚が５ｍｍより大きい場合には、薄型ディスプレイの筐体にセットするには不適切な厚さ寸法となることから、ディスプレイ内で歪みが生じ易くなるといった点で不利となる。すなわち、前記条件の範囲内であれば、反りに対する抑制効果とディスプレイ組立てにおける適合性とを両立することが可能となる。
また、上述したように光拡散板の厚さ方向の反りや歪みをなくした状態で、多層構造や透明レンズ層又は透明プリズム層の各種パラメータを変えることにより、ランプイメージが視認し難い光拡散板を得ることが可能となる。
【００１９】
また、本発明に係る光拡散板では、透明レンズ層又は透明プリズム層が押出成形によって形成され、２５℃における流れ方向の線膨張係数ＭＤと、流れ方向に対して垂直となる方向の線膨張係数ＴＤが（１）式を満たす範囲にあることが好ましい。
【００２０】
【数１】
2010152242.tif 000003
【００２１】
これにより、上述した光拡散板の厚さ方向への反りや歪みをより確実に防ぐことができ、液晶パネルや光源が破損したり、画像品位が低下したりする不具合の発生を低減できる効果を奏する。
【００２２】
また、本発明に係る光拡散板では、多層構造が、押出成形にて一体成形されてなることが好ましい。
【００２３】
本発明では、ディスプレイ組立て時のハンドリングが簡便となるうえ、製造コストの低減を図ることが可能となる。
【００２４】
また、本発明に係る光拡散板では、光拡散透過層は、微粒子を分散させた透明樹脂からなり、光拡散透過層を構成する透明樹脂１００重量部に対して、微粒子が合計で２０重量部〜３５重量部分散されてなり、且つ、多層構造の層厚に対する光伝搬層の厚み比率が１／１．１〜１／１．５の範囲にあることがより好ましい。
【００２５】
本発明では、微粒子含有量が２０重量部より少ない場合に、射出光の拡散が不十分となりランプイメージが視認できてしまったり、微粒子含有量が３５重量部より多い場合に、遮蔽効果が高くなりすぎて正面輝度が低下してしまう、といった不具合をなくすことができる。また、光拡散板の層厚に対する光伝搬層の厚み比率を１／１．１〜１／１．５の範囲とすることで、光拡散透過層の厚みが薄くなり過ぎることによって射出光の拡散が不十分になってランプイメージが視認できてしまったり、光が直進することによる広がりが不十分となってランプイメージが視認できてしまうことがなくなり、さらに光拡散透過層の厚みが過剰となり正面輝度が低下することがなくなる効果がある。
【００２６】
また、本発明に係る光拡散板では、光拡散透過層が光伝搬層の光射出面及び光入射面の両面に位置する場合において、光射出面に配された微粒子含有透明樹脂層の微粒子濃度に対する、光入射面に配された微粒子含有透明樹脂層の微粒子濃度の比率が１／５〜１／１０の範囲にあることが好ましい。
【００２７】
これにより、光拡散板が、光源部からの光を透明レンズ層又は透明プリズム層にて屈折させ、進路が変わった光を、光伝搬層にて広げ、光射出面側の光拡散透過層にて拡散することで、ランプイメージの低減をより一層図ることができる。つまり、光入射面で入射光を拡散させて光源直上の輝度を緩和することによるランプイメージ低減に対する補助作用が得られるとともに、光入射面での拡散が強すぎる場合に輝度低下をなくすことが可能となる。
【００２８】
また、本発明に係る光拡散板では、透明レンズ層又は透明プリズム層と、光伝搬層、又は光伝搬層の光入射面に設けられた光拡散透過層とが、粘着材にて一体化されてなることがより好ましい。
【００２９】
これにより、光源のランプ構成（光源間距離と光源・光拡散板間距離）に応じて、適切なレンズ形状や光拡散板を選択し、適宜組み合わせることでよりランプイメージが視認し難い光拡散板を得ることが可能となる。
【００３０】
また、本発明に係る光学部材では、上述した光拡散板を用いるとともに、直下型光源の前に配される光学部材であって、光拡散板の光射出面には、略平面をなす一方の面から入射した光を他方の面から射出する際に、射出方向、射出範囲、輝度分布のうち少なくとも１つを制御する光学シートが配されていることを特徴としている。
【００３１】
本発明では、光学シートに入射した光は、その入射面で屈折した後、観察者側の液晶パネルに向けて射出されるため、光拡散板の作用に加えて集光機能を得ることができることから、ランプイメージをより低減させながら高い正面輝度を得ることが可能となる利点がある。
【００３２】
また、本発明に係るバックライトユニットでは、上述した光拡散板、若しくは上述した光学部材と、直下型光源とを備えたことを特徴としている。
【００３３】
これにより、拡散性と透過性に関する光学特性が最適化され、ランプイメージが低減されるとともに正面方向の輝度が向上された光を射出することが可能となる。
【００３４】
また、本発明に係る表示装置では、上述したバックライトユニットと、光拡散板を間に挟んで直下型光源と向き合った表示パネルとを備えたことを特徴としている。
【００３５】
本発明では、上述したバックライトユニットを搭載していることから、ランプイメージが低減されるとともに正面輝度が向上された良好な表示品位の画像を提供することができる。
【発明の効果】
【００３６】
本発明の光拡散板、光学部材、バックライトユニット及び表示装置によれば、光拡散板を多層構造にして各種パラメータの最適化を図ることにより、薄型で加温時においても反りが生じ難い好適な構造が実現できるうえ、ランプイメージを低減させる効果に優れた性能を示すことができる。
【発明を実施するための最良の形態】
【００３７】
以下、本発明の第１の実施の形態による光拡散板、光学部材、バックライトユニット及び表示装置について、図１に基づいて説明する。なお、ここでは、本発明の実施の形態による光拡散板については、それを用いた光学部材、バックライトユニット及び表示装置と共に説明する。
図１は本発明の第１の実施の形態によるディスプレイ装置の概略構成を示す模式的な断面図である。
【００３８】
図１に示すように、本第１の実施の形態によるディスプレイ装置１（表示装置）は、上方に光を照射するバックライトユニット２の光の創出側に液晶パネル３を重ねて設けることで構成される液晶表示装置であり、液晶パネル３から上側に向けて画像信号によって表示制御された表示光を射出することで画像を表示するものである。
以下では、このような配置に基づいて、図１の上方向を単に観察者側、下方向を単に背面側と称する場合がある。
【００３９】
バックライトユニット２は、液晶パネル３の表示画面と略同一の面積の発光面を備えた発光装置であって、光源部１０と、光学シート５及び光拡散板２０を備えた光学部材３０とを備えて構成されている。なお、そして、液晶パネル３としては、透過型表示パネル、半透過型表示パネル等の表示パネルを用いることができる。
【００４０】
光源部１０は、紙面奥行き方向に延びるシリンダ形状の線状光源からなるランプ１１が一定のピッチで離間して配置されるとともに、これらランプ１１の背面側及び側面側が反射板を備えたランプハウス１２で囲われることで構成された直下型方式が採用されている。
そして、線状光源をなすランプ１１としては、陰極管（ＣＣＦＬ）や、ＬＥＤ、ＥＬ、半導体レーザーなどを用いることができる。さらに、赤色、緑色、青色のＬＥＤのアレイからの光を導光板または拡散板で混ぜ合わせて白色光として射出させる光源や、青色のＬＥＤに黄色蛍光発光体を塗布し、擬似白色光として射出させる光源のような、単色ＬＥＤに各色の発光体を塗布した光源を用いることもできる。
【００４１】
また、ランプハウス１２は、観察者側が開口された箱型形状をなしており、その内側が白色フィルム、白色シート等の光反射性のフィルム、シートによって構成されている。なお。このランプハウス１２は金属板等の支持体上にフィルム、シート等が貼り付けられて構成されたものであってもよい。
【００４２】
このようなバックライト用の光源部１０から射出される光は、ランプ１１に近い部分は明るくなり、ランプ１１の間は暗くなる特性を有する。そのため、正面方向（観察者側）の観察者から、各ランプ１１の形状（ランプイメージ）が視認されるという不具合が生じることになるが、本実施の形態におけるバックライトユニット２は後述するような光拡散板２０を有し、光源部１０からの光を拡散させるとともに集光させる構成になっていることから、上記のようなランプイメージによる視認性の不具合を抑制することを可能とした構成になっている。
【００４３】
光学部材３０を構成する光拡散板２０は、光源部１０から液晶パネル３側に射出される光を拡散させる役割を果たすためのものであり、光源部１０による輝度ムラを抑制してランプイメージを低減させることができるように構成されている。具体的に光拡散板２０は、透明樹脂からなる光伝搬層２１と、この光伝搬層２１の光入射面２１ａ及び光射出面２１ｂに配された微粒子含有透明樹脂からなる光拡散透過層２２、２３とを備えた３層構成をなしている。光伝搬層２１と光拡散透過層２２、２３とは、それぞれが略板状に形成され、互いに積層されている。ここで、光伝搬層２１に対して光源部１０側（紙面下側）に位置する光拡散透過層を第１光拡散透過層２２とし、同じく液晶パネル３側（紙面上側）に位置する光拡散透過層を第２光拡散透過層２３として以下説明する。
【００４４】
光伝搬層２１、第１光拡散透過層２２、及び第２光拡散透過層２３からなる多層構造の光拡散板２０は、押出成形にて一体成形することにより製造することができ、これにより、ディスプレイ組立て時のハンドリングが簡便となるうえ、製造コストの低減を図ることが可能となる。
【００４５】
そして、光拡散板２０を構成する光伝搬層２１、光拡散透過層２２、２３に用いられる透明樹脂は、同一種でも良いし、異種であってもよい。この透明樹脂としては、例えば、アクリル樹脂、ポリスチレン（ＰＳ）樹脂、メタアクリルスチレン共重合体（ＭＳ）樹脂、ポリカーボネート（ＰＣ）樹脂、アクリロニトリルスチレン共重合体（ＡＳ）樹脂、シクロオレフィンポリマー（ＣＯＰ）、これらを成分とする共重合体若しくはこれらの樹脂の混合物を用いることができる。
また、光拡散透過層２２、２３に分散される微粒子としては、例えば、シリコーンや二酸化チタン、硫酸バリウム、或いは、アクリル樹脂、ポリカーボネート、ポリスチレン、ポリアミド又はポリエーテル等を挙げることができる。
【００４６】
そして、光拡散板２０の光入射面２０ａには、透明レンズ層４が設けられている。この透明レンズ層４は、レンズから構成された複数の凸部が設けられたレリーフ層として形成されている。これらレンズは、例えば、並設される複数のレンチキュラーレンズ、シリンドリカルレンズや、マトリックス状に配列される複数の半球レンズが採用される。なお、これらレンズの少なくとも一部は、頂部が凹んでいてもよい。
また、透明レンズ層４を形成する凸部は、上記のようなレンズ形状でなくてもよく、例えばこれら凸部の一部又は全部をプリズム形状とした透明プリズム層であってもよい。ここでは、本実施の形態における「透明レンズ層４」は、「透明プリズム層」も含んだ広義の意味で使用する。
【００４７】
さらに、透明レンズ層４は、光拡散板２０の光入射面２０ａに紫外線硬化樹脂などの放射線硬化樹脂を塗布し、この塗膜に型押ししながら紫外線などの放射線を照射することにより得られるシート上の透明レンズ層４を光入射面２０ａに対して接着又は粘着することにより形成されるが、押出成形にて光拡散板２０と一体成形されたものであってもかまわない。なお、押出成形を行なうための押出法は、押出機で熱可塑性樹脂を加熱溶解させ、Ｔダイから押出し、板状あるいはシート状に成形する方法である。
【００４８】
透明レンズ層４を形成する材料としては、例えばポリカーボネート（ＰＣ）樹脂などの透明樹脂や、この透明樹脂に光散乱粒子が分散混入されたものが用いられるが、後述する規定を満たす樹脂であればその他の樹脂であってもよい。ただし、光散乱粒子を分散混入させる場合は、その濃度もしくは密度を第１光拡散透過層２２の光散乱粒子の濃度よりも小さくする必要がある。なお、透明レンズ層４の凹凸形状やピッチ、高さは光源間隔や光源からの距離に応じて適宜設定可能である。
このような透明レンズ層４は、光源部１０のランプ１１から入射した光が第１光拡散透過層２２に入る前に屈折させられて、光源部１０におけるランプ１１の直上だけでなくランプ１１の直上から離れた位置にも光を配分する機能を有している。これにより、ランプ１１直上の輝度が抑えられると共に、光源部１０から離れた場所の輝度が向上し、ランプイメージの低減に寄与するようになっている。
【００４９】
光学シート５は、略平面をなす一方の面５ａから入射した光を他方の面（液晶パネル３側の面）から射出する際に、光の射出方向、射出範囲、及び輝度分布のうち少なくとも１つを制御するものであって、光拡散板２０の光射出面２０ｂに重ねられた状態で配置されている。この光学シート５を使用することにより、正面輝度を向上させることが可能となるうえ、ランプイメージをより一層低減する効果を奏するといった利点がある。
【００５０】
上記のような構成の光拡散板２０においては、光源部１０から射出された光は、透明レンズ層４によって屈折させられた後、光入射面２０ａ側に配置された第１光拡散透過層２２にてある程度拡散させられる。そして、この拡散光は、光伝搬層２１内を伝播して広がりながら光源から離れた位置まで進行し、その後、光射出面２０ｂ側に配置された第２光拡散透過層２３にてさらに拡散させられて光射出面２０ｂから射出される。すなわち、本実施の形態の光拡散板２０を通過する光は、透明レンズ層４によって屈折させられて第１光拡散透過層２２によって拡散効果が付与された後に、光伝搬層２１内にて輝度を低下させることなく一定の範囲に広がって、その後、さらに第２光拡散透過層２３により拡散効果が付与されることで、高い光拡散性を備えながらも正面輝度の高い射出光として射出されることになる。
【００５１】
次に、このような光拡散板２０の光学特性を決定付ける各種パラメータについて、図１に基づいて詳細に説明する。
光拡散板２０は、透明レンズ層４を備えた状態での厚さ寸法（以下、「総厚Ｄ」という）が１．５ｍｍ〜５ｍｍの範囲に設定されており、光入射面２０ａ側に設けられる透明レンズ層４の線膨張係数が６×１０−５〜８×１０−５ｃｍ／ｃｍ・℃の範囲にある樹脂を用いて押出成形にて一体成形されている。
さらに、その押出成形による流れ方向の線膨張係数ＭＤと、流れ方向と垂直な方向の線膨張係数ＴＤとの関係が、２５℃の温度において、（１）式を満たしている。
【００５２】
【数２】
2010152242.tif 000004
【００５３】
これにより、光拡散板２０の反りや歪みをなくすことができ、薄型対応性を向上させることができる。つまり、光入射面２０ａに配された透明レンズ層４の線膨張係数が前記の範囲（６×１０−５〜８×１０−５ｃｍ／ｃｍ・℃）外であったり、２５℃の環境下において（１）式を満たさない場合には、ディスプレイ装置１の稼動時の光源部１０からの発熱により、光拡散板２０が液晶パネル３側、又は光源部１０側に大きな反りが生じたり、歪んだりすることで、液晶パネルや光源が破損したり、画像品位が低下したりする不具合が生じてしまう。
一方、総厚が１．５ｍｍを下回ると十分な厚みが確保できず、反りに対する抑制効果が低減したり、ディスプレイ装置１の組立時のハンドリング性が悪化したりする点で不利となり、５ｍｍを上回ると薄型ディスプレイの筐体にセットするには不適切な厚さ寸法となることから、ディスプレイ内で歪みが生じ易くなるといった点で不利となる。
【００５４】
一方、光入射面２０ａに配された透明レンズ層４の線膨張係数が前記の範囲（６×１０−５〜８×１０−５ｃｍ／ｃｍ・℃）内であり、且つ２５℃の環境下において上述した（１）式を満たす場合には、ディスプレイ装置１の稼動時に光源部１０からの熱で加熱されても、大きな反りや歪みが生じなくなる。
また、光拡散板２０の総厚Ｄが規定範囲内にあるときには、反りに対する抑制効果とディスプレイ組立てにおける適合性とを両立することが可能となる点で有利である。
【００５５】
さらに、光拡散透過層２２、２３が、微粒子を分散させた透明樹脂からなり、これら光拡散透明層２２、２３を構成する透明樹脂１００重量部に対して、前記微粒子が合計で２０重量部〜３５重量部の範囲で分散され、且つ、多層構造（光拡散板２０）の層厚ｄ０に対する前記光伝搬層２１の厚みｄ１の比率が１／１．１〜１／１．５の範囲に設定されている。
【００５６】
つまり、この範囲よりも微粒子含有量が少ないと、射出光の拡散が不十分となりランプイメージが視認できてしまう。一方、この範囲よりも微粒子含有量が多いと、遮蔽効果が高すぎるために正面輝度が低下してしまうことになり好ましくない。
また、光拡散板２０の層厚ｄ０に対する前記光伝搬層２１の厚みｄ１の比率が、前記範囲（１／１．１〜１／１．５）よりも大きくなると、光拡散透過層２２、２３の厚みが薄くなり過ぎることになり、射出光の拡散が不十分になるためランプイメージが視認できてしまう。そして、前記範囲よりも小さくなると光が直進することによる広がりが不十分となるためランプイメージが視認できてしまうとともに、光拡散透過層２２、２３の厚みが過剰となり正面輝度が低下してしまう点で不利となる。
【００５７】
一方、光拡散透過層２２、２３における微粒子含有量、及び光拡散板２０の層厚に対する光伝搬層２１の厚み比率が前記範囲に収まる場合には、ランプイメージの低減と、正面輝度の維持が両立可能となる。
【００５８】
また、光拡散透過層２２、２３が、光伝搬層２１の光射出面２１ｂ、及び光入射面２１ａの両面に位置する場合には、光射出面２１ｂに配された微粒子含有透明樹脂層（第２光拡散透過層２３）の微粒子濃度に対する、光入射面２１ａに配された微粒子含有透明樹脂層（第１光拡散透過層２２）の微粒子濃度の比率が１／５〜１／１０の範囲であることが好ましい。
【００５９】
すなわち、光拡散板２０が、光源部１０からの光を透明レンズ層４にて屈折させ、進路が変わった光を、光伝搬層２１にて広げ、光射出面２０ｂ側の第２光拡散透過層２３にて拡散することで、ランプイメージの低減をより一層図ることができる効果を奏する。つまり、光入射面２０ａで入射光を拡散させて光源直上の輝度を緩和することによるランプイメージ低減に対する補助作用を示す利点と、光入射面２０ａでの拡散が強すぎる場合に輝度低下が生じる不利点の兼合いから、前記範囲を規定している。
【００６０】
また、透明レンズ層４においては、光拡散板２０に対して粘着材にて一体化されていることから、ランプ構成（光源間距離と光源・光拡散板間距離）に応じて、適切なレンズ形状や光拡散板２０を選択し、適宜組み合わせることでよりランプイメージが視認し難い光拡散板を得ることが可能となる。ここで、多層構造をなす光拡散板２０と透明レンズ層４を一体成形しても構わないが、押出成形の限界により所望の構成が得られない可能性もあるため、透明レンズ層４と光拡散板２０とを個々に成形して貼り合わせることが好ましい。
【００６１】
次に、上記光拡散板２０を備えた光学部材３０、バックライトユニット２、及びディスプレイ装置１の作用について説明する。
【００６２】
図１に示すように、本実施の形態の光学部材３０によれば、光源部１０から光学部材３０に向けて射出された光は、光拡散板２０の光入射面２０ａから入射し、上述したように第１光拡散透過層２２によって拡散効果が付与された後に、光伝搬層２１にて輝度を低下させることなく一定の範囲に広がって、その後、さらに第２光散乱層２３により拡散効果が付与されて光射出面２０ｂから射出される。これにより、高い光拡散性、及び輝度を備えた光が光学シート５に入射する。
【００６３】
さらに、光学シート５に入射した光は、その入射面５ａで屈折した後、各単位レンズ５１で屈折され、観察者側の液晶パネル３に向けて射出される。その後、液晶パネル３を通過することで適宜偏光させられた後、所定の画素領域から光が表示光として透過され、一定の視野角を有する画像が表示される。さらに、光学シート５が上述したように光の射出方向、射出範囲、及び輝度分布のうち少なくとも１つを制御するものであるから、本実施の形態の光学部材３０は、光拡散板２０の作用に加えて集光機能を得ることができ、ランプイメージをより低減させながら高い正面輝度を得ることが可能となる。
【００６４】
また、本実施の形態によるバックライトユニット２によれば、光拡散板２０を備えた光学部材３０を使用していることから、拡散性と透過性に関する光学特性が最適化され、ランプイメージが低減されるとともに正面方向の輝度が向上された光を射出することが可能となる。
【００６５】
さらに、本実施の形態のディスプレイ装置１によれば、上記バックライトユニット２を搭載していることから、ランプイメージが低減されるとともに正面輝度が向上された良好な表示品位の画像を提供することが可能となる。
【００６６】
上述した本第１の実施の形態による光拡散板、光学部材、バックライトユニット及び表示装置では、光拡散板を多層構造にして各種パラメータの最適化を図ることにより、薄型で加温時においても反りが生じ難い好適な構造が実現できるうえ、ランプイメージを低減させる効果に優れた性能を示すことができる。
【００６７】
次に、他の実施の形態について、添付図面に基づいて説明するが、上述の第１の実施の形態と同一又は同様な部材、部分には同一の符号を用いて説明を省略し、第１の実施の形態と異なる構成について説明する。
図２は本発明の第２の実施の形態による光拡散板の概略構成を示す模式的な断面図である。
図２に示す第２の実施の形態の光拡散板２０は、図１に示す該光拡散板の光射出面２０ｂに位置する光学シート５を省略している点で上述した第１の実施の形態とは相違している。
【００６８】
また、図３は本発明の第３の実施の形態による光拡散板の概略構成を示す模式的な断面図である。
図３に示すように、第３の実施の形態の光拡散板２０Ａは、光伝搬層２１の光入射面２１ａに位置する第１光拡散透過層２２が省略された構造となっている。
【００６９】
以上、本発明による光拡散板、光学部材、バックライトユニット及び表示装置の第１〜第３の実施の形態について説明したが、本発明は上記の実施の形態に限定されるものではなく、その趣旨を逸脱しない範囲で適宜変更可能である。
例えば、本第１の実施の形態では、図１に示す光学シート５に代えて、図４に示すような変形例の光学シートを用いたものであってもよい。
すなわち、図４に示すように、本変形例による光学シート６は、フィルム状に形成されて光透過性を有する透光性基材６１と、この透光性基材６１の射出面６１ａ側に一体に設けられたレンズアレイ６２とを備えている。このレンズアレイ６２は複数の単位レンズ６３、６３、…が並設されることで構成されており、各単位レンズ６３は、紙面奥行き方向に延設されるとともに、透光性基材６１の射出面に面する平坦面と射出面から突出するように形成された凸状の曲面とを有するシリンドリカル形状をなしている。
【００７０】
さらに、この光学シート６においては、透光性基材６１におけるレンズアレイ６２が設けられている面とは反対側の面６１ｂに、複数の光マスク部６４が設けられ、これら光マスク６４の間の部分が光透過用開口部６５とされている。光透過用開口部６５のピッチは、単位レンズ６３のピッチとほぼ同じピッチとされており、光マスク部６４の位置は、単位レンズ６３同士が接触する谷部に対応する位置に形成されている。そのため、光透過用開口部６５の位置は、単位レンズ６３の頂部に対応する位置に設けられることになるこの光マスク部６４は、例えば金属材料や白色反射材などの光反射性部材から構成することができる。このような光学シート６を採用することにより、光マスク部６４により反射された光は、光拡散板２０で再び光拡散された後、正面方向（観察者側）へ射出される。この工程が繰り返されることにより、光源部１０の光をほとんどすべて正面方向（観察者側）へ射出させることができ、正面輝度を向上させることが可能となる。
なお、上記のように単位レンズ６３をシリンドリカル形状とすると高い集光効果を発揮することができるが、当該形状に限定されず、光の方向を制御して集光させるような形状であれば他の形状であってもよく、例えば、シリンドリカル形状の一部が凹んだ形状や、該シリンドリカル形状の一部にプリズムが形成されているものや、単位レンズ６３自体がプリズム状をなすものであってもよい。
【実施例】
【００７１】
次に、本実施の形態の効果を確認するために、図１及び図３に示した光拡散板２０、２０Ａを加熱した際の熱変形挙動の比較を、図１に示す光学部材３０を用いた構成のディスプレイ装置１にてランプイメージの視認性と正面輝度の比較を行なった。
ここで、図１に示すように、透明レンズ層４は、線膨張係数の異なる樹脂を用いて押出成形し、多層構造をなす光拡散板２０は、光拡散透過層２２、２３の厚み、及び微粒子拡散濃度を変化させて押出成形した。そして、透明レンズ層４の略平面をなす光射出面４ａと、光拡散透過層２２の光入射面２２ａとを、粘着材を用いて貼り合せた。
また、光学シート５は、押出成形にて作製し、第２光拡散透過層２３の光射出面２３ｂに乗せて用い、光拡散板２０に対して一体化しない状態とした。
【００７２】
光拡散板を加熱した際の熱変形挙動の比較は、上記方法により作製した種々の光拡散板をディスプレイ装置内にセットし、上述した第１の実施の形態に対応する３層構造の光拡散板２０（図１参照）と、上述した第３の実施の形態に対応する２層構造の光拡散板２０Ａ（図３参照）として、下記表１に示すような各種パラメータを替えて構成した光拡散板を作成し、ディスプレイ装置毎に８０℃に加熱することで実施した。
本比較によるパラメータは、上述した実施の形態で示した同様のものであり、すなわち、総厚（ｍｍ）、透明レンズ層の膨張係数（ｃｍ／ｃｍ・℃）、透明レンズ層の２５℃におけるＭＤ／ＴＤ、光拡散透過層の合計微粒子含有率（％）、光伝搬層厚（総厚に対する比率）、３層構造において第２光拡散透過層における微粒子含有濃度に対する第１光拡散透過層における微粒子含有濃度の比率である。
【００７３】
【表１】
2010152242.tif 000005
【００７４】
そして、評価としては、室温冷却後に光拡散板を取り出した際、この光拡散板の反り量が、長辺長さの１％未満であれば反り量の判定を良として表１において「○」で表示し、１％以上であれば判定を不良として「×」で表示した。また、同様に歪みの状態を評価して、歪みがない状態であれば表１において「○」で表示し、歪みが確認された場合に「×」で表示した。
【００７５】
また、ランプイメージの視認性及び正面輝度の比較は、図１に示す構成のディスプレイ装置１において白色画面を表示し、目視確認及び光学測定を行なうことで実施した。その評価方法は、表示パネル越しにランプイメージが見えなければランプイメージ視認性判定を表１において「○」で表示し、ランプイメージが見えれば判定を「×」で表示した。また、正面輝度が既存ディスプレイの正面輝度と同等以上であれば正面輝度判定を表１において「○」で表示し、下回れば判定を「×」で表示した。
【００７６】
表１に示すように、透明レンズ層を備えた光拡散板の総厚が１．５ｍｍ〜５ｍｍの範囲に設定されており、透明レンズ層の線膨張係数が６×１０−５〜８×１０−５ｃｍ／ｃｍ・℃の範囲に設定されている場合には、加熱時にも反りの発生が抑えられ、その評価は「○」を示す結果となった。
さらに、上記の反りが「○」の評価を示したもののうち、透明レンズ層が押出成形によって形成され、２５℃における流れ方向の線膨張係数ＭＤと、流れ方向に対して垂直となる方向の線膨張係数ＴＤが、上述した（１）式、すなわち０．９ ＜ ＭＤ／ＴＤ ＜ １．１の式を満たす範囲にある場合には、その評価が「○」を示し、歪みも抑えることが可能となり、より良好な表示品位の提供が可能となることが確認された。
【００７７】
そして、光伝搬層と光拡散透過層とからなる多層構造の光拡散板が、前述の規定範囲内にある場合、すなわち光拡散透過層の合計微粒子含有率（％）が２０重量部〜３５重量部の範囲で分散され、多層構造の層厚に対する前記光伝搬層の厚み比率が１／１．１〜１／１．５の範囲に設定され、３層構造において第２光拡散透過層における微粒子含有濃度に対する第１光拡散透過層における微粒子含有濃度の比率が１／５〜１／１０の範囲に設定されている、といった３つの条件のいずれかを満たすことで、ランプイメージの軽減が図れるとともに、高い正面輝度を維持することができる。とくに、上述した反りと歪みの評価が「○」で、さらに上記３つの条件の全てを満たしている場合には、ランプイメージ及び正面輝度のそれぞれの評価も「○」を示し、より高い画像品位を示すディスプレイを提供することが可能となることが確認された。
【図面の簡単な説明】
【００７８】
【図１】本発明の第１の実施の形態によるディスプレイ装置の概略構成を示す模式的な断面図である。
【図２】本発明の第２の実施の形態による光拡散板の概略構成を示す模式的な断面図である。
【図３】本発明の第３の実施の形態による光拡散板の概略構成を示す模式的な断面図である。
【図４】変形例による光学シートを示す側面図である。
【図５】従来のディスプレイ装置を示す断面模式図である。
【図６】従来のディスプレイ装置を示す断面模式図である。
【図７】従来のディスプレイ装置を示す断面模式図である。
【図８】ＢＥＦとバックライトを示した断面模式図である。
【図９】ＢＥＦの一例を示した斜視模式図である。
【符号の説明】
【００７９】
１  ディスプレイ装置（表示装置）
２  バックライトユニット
３  液晶パネル
４  透明レンズ層
５、６  光学シート
１０  光源部
２０、２０Ａ  光拡散板
２０ａ  光入射面
２０ｂ  光射出面
２１  光伝搬層
２２  第１光拡散透過層
２３  第２光拡散透過層
３０  光学部材
Ｄ  総厚
【図１】
2010152242.tif 000007
【図２】
2010152242.tif 000008
【図３】
2010152242.tif 000009
【図４】
2010152242.tif 000010
【図５】
2010152242.tif 000011
【図６】
2010152242.tif 000012
【図７】
2010152242.tif 000013
【図８】
2010152242.tif 000014
【図９】
2010152242.tif 000015